(57)【要約】【課題】  積層荷物体の固定を安定して行える、また、その積層荷物体への装着が一人で容易に行える荷崩れ防止用バンドを提供する。【解決手段】  両端部が連結されることで積層荷物体の周囲に装着されてその荷崩れを防止する荷崩れ防止用バンドであり、両端部が補強面部２ａ、２ｂとされ、その中間部分が伸縮面部３とされてなるもので、伸縮面部３が伸びることで荷物１２はその全体が周囲から弾力的に締め付けられる状態に安定して固定され、連結される端部が補強面部２ａ、２ｂそれぞれよりなり剛性を備えていることで、連結作業がしやすく、かつ、その連結構造が安定したもの。【選択図】図１
2012250761.tif 000002
【特許請求の範囲】
【請求項１】
両端部が連結されることで積層荷物体の周囲に装着されてその荷崩れを防止する荷崩れ防止用バンドであり、
前記両端部が補強面部とされ、その中間部分が伸縮面部とされてなることを特徴とする荷崩れ防止用バンド。
【請求項２】
両端部が連結されることで積層荷物体の周囲に装着されてその荷崩れを防止する荷崩れ防止用バンドであり、
前記積層荷物体の積層隙間に挟持される仮保持片を備えることを特徴とする荷崩れ防止用バンド。
【請求項３】
両端部が連結されることで積層荷物体の周囲に装着されてその荷崩れを防止する荷崩れ防止用バンドであり、
前記両端部が上下方向において複数段に配置される複数本の連結ベルトにより連結されることを特徴とする荷崩れ防止用バンド。
【発明の詳細な説明】
【技術分野】
【０００１】  この発明は、パレット上等に積まれる複数の荷物の固定を行う荷崩れ防止用バンドに関する。
【背景技術】
【０００２】  パレット上等に積層される複数の荷物の荷崩れを防止するため、両端部が連結されることで積層荷物体の周囲に装着される荷崩れ防止バンドが提供されている。この種の荷崩れ防止バンドは、強固に安定して荷物を固定することが難しい、また、一人で装着することが難しい等の問題があった。
【発明の概念】
【発明が解決しようとする課題】
【０００３】  この発明では、積層荷物体の固定を安定して行える、また、その積層荷物体への装着が一人で容易に行える荷崩れ防止用バンドを提供することを目的とする。
【課題を解決するための手段】
【０００４】  請求項１の発明では、両端部が連結されることで積層荷物体の周囲に装着されてその荷崩れを防止する荷崩れ防止用バンドであり、前記両端部が補強面部とされ、その中間部分が伸縮面部とされてなることを特徴とする荷崩れ防止用バンドを提供する。
【０００５】  上記構成の荷崩れ防止用バンドによれば、伸縮面部が伸びることで荷物はその全体が周囲から弾力的に締め付けられる状態に安定して固定される。また、連結される端部が補強面部それぞれよりなり剛性を備えていることで、連結作業がしやすく、かつ、その連結構造が安定したものとなる。
【０００６】  請求項２の発明では、両端部が連結されることで積層荷物体の周囲に装着されてその荷崩れを防止する荷崩れ防止用バンドであり、前記積層荷物体の積層隙間に挟持される仮保持片を備えることを特徴とする荷崩れ防止用バンドを提供する。
【０００７】  上記構成の荷崩れ防止用バンドによれば、初めに仮保持片を荷物側に仮保持させることで荷物の周囲への装着作業が一人で容易に行える。保持片の形態はベルトやプレート等適宜であってよく、表面が滑り止め性を持つものが好適に用いられる。
【０００８】  請求項３の発明では、  両端部が連結されることで積層荷物体の周囲に装着されてその荷崩れを防止する荷崩れ防止用バンドであり、前記両端部が上下方向において複数段に配置される複数本の連結ベルトにより連結されることを特徴とする荷崩れ防止用バンドを提供する。
【０００９】  上記構成の荷崩れ防止用バンドによれば、複数本の連結ベルトにより連結することで荷物の積層形態に対応した連結固定が可能となる。また、連結の際の締め付けがそれぞれの連結ベルト毎に行うことで強固、かつ、容易になされる。
【発明の効果】
【００１０】  この発明の荷崩れ防止用バンドを用いることで、積層荷物体が容易に安定固定できるようになる。また、この発明の荷崩れ防止用バンドを用いることで、積層荷物体が一人で容易に安定固定できるようになる。また、この発明の荷崩れ防止用バンドを用いることで、積層荷物体の固定が強固、かつ、容易に、さらに種々の形態の積層荷物体の固定が支障なく行えるようになる。
【図面の簡単な説明】
【００１１】
【図１】  この発明の荷崩れ防止用バンドの実施形態の外面側正面図
【図２】  この発明の荷崩れ防止用バンドの使用説明図
【図３】  この発明の荷崩れ防止用バンドの使用説明図
【図４】  この発明の荷崩れ防止用バンドの使用説明図
【発明を実施するための形態】
【００１２】  図１はこの発明の荷崩れ防止用バンドの外面側正面図である。荷崩れ防止用バンド１は両端に位置する補強面部２ａ、２ｂとその間に位置する伸縮面部３とからなる。
【００１３】  補強面部２ａ、２ｂはポリエステル繊維の織物表面に樹脂コーティングがなされて形成されており、折り曲げ可能であり、かつ、ある程度の剛性を備えている。補強面部２ａの外面には３本の面ファスナー機能を持つ連結ベルト５のそれぞれが互いに平行となるように取り付けられている。連結ベルト５のそれぞれは、ｘで示す領域の外面が雄ファスナー面、ｙで示す領域の外面が雌ファスナー面とされている。補強面部２ｂの外面には３段に３個ずつ合計９個の連結ベルト５の折り返し片７のそれぞれが取り付けられている。折り返し片７のそれぞれはベース９とそれに一体のループ１０とからなっている。また、補強面部２ｂの端縁中央には仮保持ベルト（仮保持片）１２が取り付けられており、この仮保持ベルト１２はゴムやウレタン、シリコン樹脂よりなり表面が滑り止め性を備える。
【００１４】  伸縮面部３はポリエステル繊維に伸縮性繊維が少量混入された繊維の織物よりなり、伸縮性を有する。
【００１５】  次に、図２、図３を参照して上記荷崩れ防止用バンド１の使用方法を説明する。パレット１５上に同形の荷物１６が３段に１２個積層されている。まず、この積層された荷物１２の上から１段目と２段目との間に仮保持ベルト１２を差し入れてその間に挟持させ、これにより荷崩れ防止用バンド１は補強面部２ｂ側の端部が荷物１６側に仮保持される。
【００１６】  次に、その補強面部２ｂを矢印Ａ方向に９０°回転変位させ、その状態において荷物１６の周囲に沿って（矢印Ｂ方向）荷崩れ防止用バンド１を巻き付け、図３に示すように、補強面部２ａの端縁ｔ１を補強面部２ｂの端縁ｔ２に相対させた状態とし、この状態において連結ベルト５それぞれによって補強面部２ａ、補強面部２ｂの連結を行う。連結ベルト５による連結は、その端部を折り返し片７のループ１０に通して折り返し雄ファスナー面を雌ファスナー面に合致させることで行う。その際、補強面部２ａを持って少し引っ張り、さらに、それぞれの連結ベルト５を引っ張り伸縮面部３を伸ばすようにして行うことで、荷崩れ防止用バンド１は荷物１６それぞれの周面に弾力的に強固に当接してその固定が安定して行われる。
【００１７】  上記のように装着された荷崩れ防止用バンド１により上から１段目と２段目の荷物１６の側面全体と３段目の荷物１６の側面の上部が覆われることで、荷物１６はその全体が周囲から弾力的に締め付けられる状態に安定して固定される。また、連結される端部が補強面部２ａ、補強面部２ｂよりなりある程度の剛性を備えていることで、連結作業がしやすく、かつ、その連結構造が安定したものとなる。
【００１８】  また、仮保持ベルト１２があって荷崩れ防止用バンド１の補強面部２ｂ側の端部を荷物１６側に仮保持させることができるので、装着作業が一人で容易に行える。仮保持ベルト１２は表面が滑り止め性を持つものとされていることで荷物間から抜けにくく、作業性に優れる。
【００１９】  上記においては、荷物１６が大きく連結に際し外側の折り返し片７のそれぞれを使用したが、荷物１６が小さくなる場合は中間位置、内側の折り返し片７を適宜選択して使用することが可能である。また、図４に示すように、上記した場合より１個荷物１６が少なく積層荷物体の上角部がへこむ場合には最上段の連結ベルト５のみ中間位置の折り返し片７を使用するようにする。このように３本の連結ベルト５により連結することで荷物の積層形態に対応した連結固定が可能となる。また、連結の際の締め付けがそれぞれの連結ベルト毎に行うことで強固、かつ、容易になされる。
【符号の説明】
【００２０】１      荷崩れ防止用バンド
２ａ    補強面部
２ｂ    補強面部
３      伸縮面部
５      連結ベルト
１２    仮保持ベルト（仮保持片）
【図１】
2012250761.tif 000003
【図２】
2012250761.tif 000004
【図３】
2012250761.tif 000005
【図４】
2012250761.tif 000006